(57)【要約】【課題】組積造の目地部における雨水の浸入を抑制することができる止水構造を提供する。【解決手段】ブロック材１０の上面１３ａに長さ方向に沿って延びる第１の溝１６を形成ことで、ブロック材１０が連設されて組積造が構成される際に、横目地部Ｊ１に所定の空間が形成される。これにより、横目地部Ｊ１における毛細管現象により雨水等の水が浸入してきたとしても、第１の溝１６の位置で毛細管現象による吸引力あるいは浸透力が弱まるため、第１の溝１６よりも奥側に水が浸入することを抑制することができる。【選択図】図２
2015040450.tif 000002
【特許請求の範囲】
【請求項１】
複数のブロック材が上下方向及び左右方向に連設されて構成された組積造における目地部の止水構造であって、
前記ブロック材は、前記組積造の面外方向、前記上下方向、前記左右方向にそれぞれ幅、高さ、長さを有し、
前記ブロック材の上面には、長さ方向に沿って延びる第１の溝が形成されていることを特徴とする目地部の止水構造。
【請求項２】
前記ブロック材は、前記第１の溝と前記ブロック材の下面とを連通する縦排水路を有し、前記縦排水路の下端は、下側に隣接する他のブロック材の他の第１の溝に対向していることを特徴とする請求項１記載の止水構造。
【請求項３】
前記縦排水路は、左右方向に隣り合う前記ブロック材同士間の縦目地部に形成されていることを特徴とする請求項２記載の止水構造。
【請求項４】
前記ブロック材の下面には、前記長さ方向に沿って延びる第２の溝が形成されており、前記第２の溝は、下側に隣接する他のブロック材の他の第１の溝に対向していることを特徴とする請求項１〜３のいずれか一項に記載の止水構造。
【請求項５】
前記ブロック材の下面には、前記長さ方向に沿って延びる第２の溝が２本形成されており、
２本の前記第２の溝の間に前記縦排水路の下端が位置していることを特徴とする請求項２又は請求項３に記載の止水構造。
【請求項６】
前記ブロック材の下面には、前記長さ方向に沿って延びる第２の溝が形成されており、
前記ブロック材の幅方向における一方の側面は前記組積造の外壁面をなし、前記ブロック材の幅方向における他方の側面は前記組積造の内壁面をなし、
前記第２の溝は、前記縦排水路の下端と前記他方の側面との間に形成されていることを特徴とする請求項２又は請求項３に記載の止水構造。
【発明の詳細な説明】
【技術分野】
【０００１】
本発明は、止水構造に関し、特に、組積造の目地部に対する止水構造に関する。
【背景技術】
【０００２】
従来、レンガやコンクリートブロックなどのブロック材を積み重ねて壁（構造壁）を構成する組積造の建物が知られている。このような組積造の建物では、隣接するブロック材同士間の目地部における外部からの雨水等の浸入を防止するために止水構造が設けられる。
【０００３】
例えば特許文献１には、複数の押出成形セメント板が上下に隣接して配置された構成に対するシール構造が開示されている。このシール構造は、横目地の屋外側に、長さ方向に沿って充填施工されるシーリング材による外部シールを設け、横目地の屋内側に、弾性材料の中空押出成形体からなる目地用ガスケットによる内部シールを設けることで構成されている。
【先行技術文献】
【特許文献】
【０００４】
【特許文献１】特開平１０−４６６９２号公報
【発明の概要】
【発明が解決しようとする課題】
【０００５】
しかしながら、上記した従来のシール構造では、例えば、シーリング材等の充填が不十分な場合や、シーリング材等が劣化した場合には、目地部における毛細管現象によって雨水が屋内側に浸入する虞があった。
【０００６】
本発明は、組積造の目地部における雨水の浸入を抑制することができる止水構造を提供することを目的とするものである。
【課題を解決するための手段】
【０００７】
このような課題を解決するため、本発明の止水構造は、複数のブロック材が上下方向及び左右方向に連設されて構成された組積造における目地部の止水構造であって、ブロック材は、組積造の面外方向、上下方向、左右方向にそれぞれ幅、高さ、長さを有し、ブロック材の上面には、長さ方向に沿って延びる第１の溝が形成されていることを特徴とする。
【０００８】
この止水構造によれば、ブロック材の上面には、長さ方向に沿って延びる第１の溝が形成されているため、上下方向に連設されるブロック材同士間の横目地部に第１の溝が位置することになる。これによって、横目地部における毛細管現象により雨水等の水が浸入してきたとしても、第１の溝よりも奥側に水が浸入することを抑制することができる。
【０００９】
また、ブロック材は、第１の溝とブロック材の下面とを連通する縦排水路を有し、縦排水路の下端は、下側に隣接する他のブロック材の他の第１の溝に対向している。この場合、横目地部における毛細管現象により浸入してきた水が第１の溝に溜まったとしても、縦排水路によって、下側に隣接するブロック材の第１の溝に向けて排水することができる。
【００１０】
また、縦排水路は、左右方向に隣り合うブロック材同士間の縦目地部に形成されている。この場合、縦目地部における毛細管現象により雨水等の水が浸入してきたとしても、縦排水路よりも奥側に水が浸入することを抑制することができる。
【００１１】
また、ブロック材の下面には、長さ方向に沿って延びる第２の溝が形成されており、第２の溝は、下側に隣接する他のブロック材の他の第１の溝に対向している。この場合、横目地部においてブロック材の下面を伝って雨水等が浸入してきたとしても、第２の溝よりも奥側に水が浸入することを抑制することができる。
【００１２】
また、ブロック材の下面には、長さ方向に沿って延びる第２の溝が２本形成されており、２本の第２の溝の間に縦排水路の下端が位置している。この場合、縦排水路を流下して下端から排出された水がブロック材の下面を伝って幅方向に広がることを抑制することができる。
【００１３】
また、ブロック材の下面には、長さ方向に沿って延びる第２の溝が形成されており、ブロック材の幅方向における一方の側面は組積造の外壁面をなし、ブロック材の幅方向における他方の側面は組積造の内壁面をなし、第２の溝は、縦排水路の下端と他方の側面との間に形成されている。この場合、縦排水路を流下して下端から排出された水がブロック材の下面を伝って内壁側に浸入してくることを抑制することができる。
【発明の効果】
【００１４】
本発明によれば、目地部からの雨水の浸入を抑制することができる止水構造を提供することができる。
【図面の簡単な説明】
【００１５】
【図１】本発明の一実施形態に係る止水構造が適用される組積造建物の正面図である。
【図２】本発明の一実施形態に係る止水構造に用いられるブロック材を上面側から見た斜視図である。
【図３】図２のブロック材を下面側から見た斜視図である。
【図４】上下方向及び左右方向に連設されたブロック材の正面図である。
【図５】図４におけるＶ−Ｖ線に沿った断面図である。
【図６】図５におけるＶＩ−ＶＩ線に沿った断面図である。
【図７】図５におけるＶＩＩ−ＶＩＩ線に沿った断面図である。
【発明を実施するための形態】
【００１６】
以下、本発明に係る実施の形態について図面を参照しながら具体的に説明する。便宜上、実質的に同一の要素には同一の符号を付し、重複する説明を省略する場合がある。
【００１７】
なお、本発明は、複数のブロック材が連設されて構成される組積造に広く適用可能であるが、以下の説明では、補強用の鉄筋の入ったブロック材によって構成される組積造建物に適用した場合について説明する。
【００１８】
図１に示されるように、組積造建物１は、地面ＧＤに設けられた布基礎２と、布基礎２上において左右方向及び上下方向に連設された複数のブロック材１０からなる壁体４と、を備えて構成されている。組積造建物１は、二階建ての組積造の住宅であり、図示しない一階床と、二階床と、屋上床と、を備えて構成されている。
【００１９】
図２及び図３を参照して、ブロック材１０の詳細な構成について説明し、図４〜図７を参照して、ブロック材１０が連設された場合の構成について説明する。なお、本実施形態におけるブロック材１０の材料は、例えばＡＬＣや軽量コンクリートであるが、これに限定されるものでなく、他の材料を選択してもよい。
【００２０】
図２及び図３は、ブロック材１０を上面側及び下面側から見た斜視図である。図２及び図３に示されるように、ブロック材１０は、組積造の面外方向、上下方向、左右方向にそれぞれ幅、高さ、長さを有する直方体形状である。ここで、面外方向とは、上下方向及び左右方向に直交する方向である。
【００２１】
ブロック材１０は、長さ方向において互いに対向する端面１１，１１と、幅方向において互いに対向する側面１２ａ，１２ｂと、高さ方向において互いに対向する上面１３ａ及び下面１３ｂと、を有している。壁体４が構成された際、側面１２ａ，１２ｂの一方は壁体４の内壁面を構成し、側面１２ａ，１２ｂの他方は壁体４の外壁面を構成する。ブロック材１０の長さ寸法Ｌ（一方の端面１１と他方の端面１１との間の寸法）、幅寸法Ｗ（側面１２ａと側面１２ｂとの間の寸法）及び高さ寸法Ｈ（上面１３ａと下面１３ｂとの間の寸法）は、例えば、それぞれ約７５０ｍｍ、約２５０ｍｍ及び約１５０ｍｍとなっている。
【００２２】
図２に示されるように、ブロック材１０の端面１１，１１には、上面１３ａから下面１３ｂまで連続するグラウト材充填用の凹部１４Ａ、１４Ａが、所定の幅をもって形成されている。凹部１４Ａ，１４Ａは、それぞれの端面１１，１１において幅方向の略中央に形成されている。凹部１４Ａ，１４Ａは、所定の傾斜をもった側部１４ａ，１４ａと、これら側部１４ａ，１４ａ同士間を連結する中央部１４ｂと、によって構成されている。図４及び図５に示されるように、ブロック材１０が左右方向に連設された場合には、左右方向に隣り合うブロック材１０の対向する凹部１４Ａ同士が組み合わさることにより、ブロック材１０同士間の縦目地部Ｊ２にグラウト材充填用孔１４が形成される。
【００２３】
図３に示されるように、ブロック材１０の下面１３ｂには、一方の端面１１から他方の端面１１まで連続するグラウト材充填用の凹部１５が、所定の幅をもって形成されている。凹部１５は、下面１３ｂにおいて幅方向の略中央に形成されている。凹部１５は、所定の傾斜をもった側部１５ａ，１５ａとこれら側部１５ａ，１５ａ同士間を連結する中央部１５ｂとによって構成されている。凹部１４Ａ，１４Ａと凹部１５とは、略同じ大きさの幅をもって形成されている。これによって、凹部１４Ａ，１４Ａと凹部１５とにより、一方の端面１１の上端から下面１３ｂを通って他方の端面１１の上端まで連続する凹部が形成されている。
【００２４】
図４に示されるように、複数のブロック材１０を上下方向及び左右方向に連設した際には、一のブロック材１０における凹部１５が左右方向に隣接する他のブロック材１０における凹部１５と連通するため、各グラウト材充填用孔１４は凹部１５を介して連通することになる。
【００２５】
ブロック材１０には、上面１３ａから下面１３ｂへ貫通する円柱状の鉄筋挿入孔ｈが、幅方向の略中央に形成されている。図３に示されるように、下面１３ｂにて開口する鉄筋挿入孔ｈの下端は、グラウト材充填用の凹部１５に収まっており、これによって鉄筋挿入孔ｈと凹部１５が連通する。鉄筋挿入孔ｈは、長さ方向の略中央に１つ、両端面１１，１１からそれぞれ長さ寸法Ｌの略１／６の距離にそれぞれ１つの計３か所に設けられている。これにより、左右方向に連設された際の隣り合う鉄筋挿入孔ｈ同士の間隔は、長さ寸法Ｌの略１／３の距離となるため、上下のブロック材１０を長さ方向に１／３ずらして積み上げた際に、上下方向の鉄筋挿入孔ｈの位置が一致することになる（図４参照）。
【００２６】
図２に示されるように、ブロック材１０の上面１３ａにおいて、側面１２ａ寄りの位置には第１の溝１６Ａが、側面１２ｂ寄りの位置には第１の溝１６Ｂが、一方の端面１１から他方の端面１１まで長さ方向に沿って連続して形成されている（第１の溝１６Ａ，１６Ｂを総称するときは「第１の溝１６」とする）。第１の溝１６は、両壁を構成する側部１６ａ，１６ａと、これら側部１６ａ，１６ａ同士間を連結する底部１６ｂとによって構成された凹部である。側部１６ａ，１６ａは、上側に向かって広がるように傾斜している。すなわち、第１の溝１６は、上側に向かって開口面が徐々に広くなるように形成されている。第１の溝１６Ａは側面１２ａから一定距離の位置に、第１の溝１６Ｂは側面１２ｂから一定距離の位置に、側面１２に平行となるように直線状に延びて形成されている。これにより、ブロック材１０を左右方向に連設した場合、隣り合うブロック材１０における第１の溝１６同士が連通することになる。
【００２７】
第１の溝１６によれば、上下方向に連設されたブロック材１０同士間の横目地部Ｊ１に所定の広がりをもった空間が形成されることになる。この空間によって毛細管現象による水の吸引あるいは浸透が弱まることになり、横目地部Ｊ１において雨水等の水が毛細管現象により浸入してきたとしても、第１の溝１６よりも奥側に水が浸入することを抑制することができる。また、第１の溝１６は下側に窪むように形成されているため、一定量の水を溜めることができる。そのため、横目地部Ｊ１において雨水等の水が毛細管現象により浸入してきたとしても、第１の溝１６よりも奥側に水が浸入することを抑制することができる。
【００２８】
図３に示されるように、ブロック材１０の下面１３ｂには、長さ方向に沿って延びる４本の第２の溝１７Ａ，１７Ｂ，１７Ｃ，１７Ｄが、一方の端面１１から他方の端面１１まで長さ方向に沿って連続して形成されている。これらの第２の溝１７Ａ，１７Ｂ，１７Ｃ，１７Ｄを総称するときは、「第２の溝１７」とする。第２の溝１７は、幅方向側に直立して形成された側部１７ａ，１７ａと、これら側部１７ａ，１７ａ同士間を連結する上面部１７ｂとによって構成されている（図６参照）。第２の溝１７Ａ，１７Ｂは、下面１３ｂにおいて側面１２ａから一定距離の位置に、第２の溝１７Ｃ，１７Ｄは、下面１３ｂにおいて側面１２ｂから一定距離の位置に、それぞれ直線状に延びて形成されている。これにより、ブロック材１０を左右方向に連設した場合、隣り合うブロック材１０における第２の溝１７同士が連通することになる。
【００２９】
第２の溝１７Ａ，１７Ｂは、上下方向において第１の溝１６Ａに対向する位置（第１の溝１６Ａの幅の範囲内）に形成されている。第２の溝１７Ｃ，１７Ｄは、上下方向において第１の溝１６Ｂに対向する位置（第１の溝１６Ｂの幅の範囲内）に形成されている。これにより、ブロック材１０が上下方向に連設された際には、第２の溝１７Ａ，１７Ｂが、第１の溝１６Ａの開口の上方に位置し、第２の溝１７Ｃ，１７Ｄが、第１の溝１６Ｂの開口の上方に位置する（図６参照）。第２の溝１７から下方に滴下する水は、第１の溝１６内に落ちることになる。
【００３０】
図２及び図３に示されるように、上面１３ａに設けられた第１の溝１６には、第１の溝１６に溜まった水を排水するための縦排水路１８Ａ，１８Ｂが形成されている。なお、縦排水路１８Ａ，１８Ｂを総称するときは「縦排水路１８」とする。図６に示されるように、縦排水路１８は、第１の溝１６内に設けられた流入口としての上部開口１８ａと、下面１３ｂに設けられた流出口としての下部開口１８ｂとを連通する円柱状の貫通孔によって形成されている。縦排水路１８の上部開口１８ａは、第１の溝１６の底部１６ｂにおける幅方向の略中央位置に形成されている。縦排水路１８の下部開口１８ｂは、下面１３ｂにおいて、上下方向に連設された際の下側に隣接するブロック材１０における第１の溝１６に対向する位置に形成されている。
【００３１】
縦排水路１８Ａ，１８Ｂは、ブロック材１０の長さ寸法Ｌを三等分する位置に形成されている。そのため、上下のブロック材１０を長さ方向に１／３ずらして積み上げた際には、縦排水路１８Ａの下部開口１８ｂは、例えば、下側に隣接するブロック材１０の第１の溝１６における縦排水路１８Ｂの上部開口１８ａに対向することになる（図７参照）。このように、上下のブロック材の縦排水路１８の位置が一致することで、上下に連設された縦排水路１８が上下方向に一直線状に連通することになる。
【００３２】
なお、上下のブロック材の縦排水路１８の位置が一致していない構成であっても、上側のブロック材１０の縦排水路１８と、下側のブロック材１０の縦排水路１８とは、下側のブロック材１０の第１の溝１６を介して連通することになる。このような構成により、第１の溝１６に溜まった水は縦排水路１８から排出されることになる。なお、特に図示しないが、第１の溝１６に所定の傾斜をもたせることで、水が縦排水路１８に流入しやすい形状としてもよい。
【００３３】
ブロック材１０の両側の端面１１，１１には、上面１３ａから下面１３ｂまで高さ方向に沿って連続する断面半円形状の第３の溝１９Ａが形成されている。第３の溝１９Ａは、底部１６ｂにおける幅方向の略中央の位置を上端として真っ直ぐ下側に延びているため、その下端は、下側に隣接するブロック材１０における第１の溝１６に対向する位置となる。図５に示されるように、ブロック材１０が左右方向に連設された場合には、左右方向に隣り合うブロック材１０の第３の溝１９Ａが対向し組み合わさることにより、ブロック材１０同士間の縦目地部Ｊ２に円柱状の縦排水路１９が形成される。このとき、縦排水路１９は、底部１６ｂにおいて幅方向の略中央位置に上部開口１９ａが形成され、下側に隣接するブロック材１０における第１の溝１６に対向する位置に下部開口１９ｂが形成されることになる。
【００３４】
上下方向及び左右方向にブロック材１０が連設された場合、縦排水路１９は、縦排水路１８と連通し（図７参照）、縦排水路１８と同様に第１の溝１６に溜まった水を排出する。また、縦排水路１９（第３の溝１９Ａ）によれば、左右方向に連設されたブロック材１０同士間の縦目地部Ｊ２に所定の広がりをもった空間が形成される。この空間によって毛細管現象による水の吸引あるいは浸透が弱まることになり、縦目地部Ｊ２において雨水等の水が毛細管現象により浸入してきたとしても、縦排水路１９よりも奥側に水が浸入することを抑制することができる。
【００３５】
第１の溝１６Ａに形成された縦排水路１８，１９の下部開口１８ｂ，１９ｂは、第２の溝１７Ａと第２の溝１７Ｂとの中間の位置に形成されている。第１の溝１６Ｂに形成された縦排水路１８，１９の下部開口１８ｂ，１９ｂは、第２の溝１７Ｃと第２の溝１７Ｄとの中間の位置に形成されている。また、例えば、側面１２ａを外壁面とし、側面１２ｂを内壁面とした場合、第２の溝１７Ｂ，１７Ｄは、縦排水路１８，１９の下部開口１８ｂ，１９ｂと内壁面（側面１２ｂ）との間に形成されていることになる。
【００３６】
以上説明した第１の溝１６、第２の溝１７、縦排水路１８，１９を備えて、本実施形態の止水構造２０（図６及び図７参照）が構成されている。
【００３７】
次に、本実施形態に係る組積造建物１の構築工法の一例について説明する。
（基礎構築工程）
【００３８】
まず、壁体４の配置方向に沿って連続して設けられる布基礎２を構築する。布基礎２は、地面ＧＤに設けられた鉄筋コンクリート造の構造物であり、組積造建物１の基礎として機能する。布基礎２は、地中に埋設された部分と、地面ＧＤから立ち上がる部分とを有しており、立ち上がり部分の上面２ａは、壁体４が載置されるように平面状に構成されている。布基礎２の厚さ方向の寸法は、一階床の縁部と壁体４を載置できるように、壁体４の幅方向の寸法（ブロック材１０の幅寸法Ｗ）より大きく設定されている。
【００３９】
なお、布基礎２には、ブロック材１０の目地部から浸入してきた水を受けとめ、外部に排出する為の排水手段を形成しておく。排水手段は、例えば、布基礎２の上面２ａにおいて、１段目として載置されるブロック材１０の第２の溝１７の位置に対向する位置に、左右方向に連続する溝（図示省略）を形成し、さらにこの溝に所定の間隔で外部に貫通する排水孔（図示省略）を形成しておく。これにより、縦排水路１８，１９を流下してきた水は、布基礎２の溝を介して排水孔から排出される。
（鉄筋立設工程）
【００４０】
布基礎２の上面２ａから鉄筋Ｒを所定のピッチで立設する。本実施形態では、ブロック材１０における鉄筋挿入孔ｈのピッチが、長さ寸法Ｌの１／３に設定されているため、これと同じピッチで鉄筋Ｒが立設される。鉄筋Ｒは、例えば、布基礎２のコンクリート打設前に所定の定着長さが確保できるように予め埋設することで立設される。なお、鉄筋Ｒの立設方法は、これに限定されず、例えば、布基礎２に対してアンカーとなるナット等の定着部材を埋設しておき、この定着部材に鉄筋を固着して行ってもよい。
（ブロック積み上げ工程）
【００４１】
まず、１段目のブロック材１０を布基礎２の上面２ａに載置する。この際、ブロック材１０の下面１３ｂにおける凹部１５と第２の溝１７Ｂとの間、及び、凹部１５と第２の溝１７Ｃとの間に、シーリング材Ｓ１を長さ方向に途切れることなく筋状に打設しておく（図６参照）。なお、シーリング材Ｓ１は、ブロック材１０側ではなく、布基礎２側に打設してもよい。ブロック材１０は、鉄筋Ｒが各鉄筋挿入孔ｈの中央に挿通された位置となるようにしておく。また、ブロック材１０をその長さ方向に連設する際は、予め端面１１における凹部１４Ａと第３の溝１９Ａ，１９Ａとの間にシーリング材Ｓ２を高さ方向に途切れることなく筋状に打設しておく（図５参照）。この際、下面１３ｂに打設されたシーリング材Ｓ１と端面１１に打設されたシーリング材Ｓ２とが連続するようにすることで、横目地のシーリング材Ｓ１と縦目地のシーリング材Ｓ２とが連続することになる。
【００４２】
続いて、２段目のブロック材１０を１段目のブロック材１０の上面１３ａに載置する。本実施形態では、２段目のブロック材１０は、１段目のブロック材１０に対し、長さ方向に１／３だけずらして載置する。図示例のブロック材１０は、長さ寸法が約７５０ｍｍ程度であるため、約２５０ｍｍ程度ずらすことになる。この際、１段目のブロック材１０と同様に、ブロック材１０の下面１３ｂ及び端面１１にはシーリング材Ｓ１，Ｓ２を予め打設しておく。なお、下面１３ｂに打設されたシーリング材Ｓ１は、１段目のブロック材の上面１３ａにおける鉄筋挿入孔ｈと第１の溝１６との間のスペースに位置することになる。ここで、２段目のブロック材１０の下面１３ｂではなく、１段目のブロック材１０の上面１３ａにシーリング材Ｓ１を予め打設してもよい。
【００４３】
次に、３段目のブロック材１０を２段目のブロック材１０の上面１３ａに載置する。３段目のブロック材１０は、１段目のブロック材１０と端面１１の左右方向の位置が一致するように載置する。この際、１段目及び２段目と同様に下面１３ｂ及び端面１１にはシーリング材Ｓ１，Ｓ２を予め打設しておく。ここで、３段目のブロック材１０の下面１３ｂではなく、２段目のブロック材１０の上面１３ａにシーリング材Ｓ１を予め打設してもよい。
【００４４】
以降、同様に作業を繰り返して、ブロック材１０を所望の高さまで積み上げることになる。なお、所望の高さに達しない長さの鉄筋を用いている場合は、作業の途中で鉄筋を適宜継ぎ足していく。
（張力付与工程及びグラウト充填工程）
【００４５】
ブロック積み上げ工程を所定の回数繰り返し、ブロック材１０がある高さまで積み上がったら、積み上げたブロック材の上端面から突出した、ねじ切りがされている鉄筋に、ワッシャーを介してナットで締め付け固定することで鉄筋に張力を与える。そして、ブロック材１０の上面１３ａにおける鉄筋挿入孔ｈの隙間とグラウト材充填用孔１４の隙間からグラウト材Ｇを充填する。鉄筋挿入孔ｈと、グラウト材充填用孔１４と、グラウト材充填用の凹部１５とは全て連通しているので（図４参照）、下側に積まれたブロック材１０から順次グラウト材Ｇが充填されていく。なお、鉄筋挿入孔ｈ、グラウト材充填用孔１４及びグラウト材充填用の凹部１５の幅方向の両側にはシーリング材Ｓ１，Ｓ２が打設され圧縮力が作用しているため、グラウト材Ｇがブロック材１０の外部に漏れることはない。グラウト材Ｇの充填頻度に関しては、例えばブロック材１０を５段程度積み上げる毎にグラウト材Ｇを充填することができる。グラウト材Ｇを充填する周期となる最適な段数は、適宜設定することができる。
【００４６】
上記の工程を繰り返し、ブロック材１０を最上段まで積み上げる。上記と同様にして、最上段に積み上げられたブロック材１０の上面１３ａにおける鉄筋挿入孔ｈの隙間とグラウト材充填用孔１４の隙間からグラウト材Ｇを充填する。なお、最上段のブロック材は、例えばブロック材１０の第１の溝１６及び縦排水路１８，１９が形成されていない構造とすることができる。以上の工程によって、本実施形態における壁体４が構築される。
【００４７】
本実施形態の止水構造２０によれば、ブロック材１０の上面１３ａに長さ方向に沿って延びる第１の溝１６が形成されている。そのため、ブロック材１０を上下方向に連設した際には、ブロック材１０同士間の横目地部Ｊ１内に第１の溝１６が位置することになる。これにより、横目地部Ｊ１に水が浸入してきたとしても、第１の溝１６よりも奥側に水が浸入することを抑制することができる。
【００４８】
また、第１の溝１６に設けられた縦排水路１８，１９の下部開口１８ｂ，１９ｂは、下側に隣接するブロック材１０の第１の溝１６に対向している。これにより、横目地部Ｊ１内において水が第１の溝１６に溜まったとしても、縦排水路１８，１９によって、下側に隣接するブロック材１０の第１の溝１６に向けて排水することができる。
【００４９】
また、縦排水路１９は縦目地部Ｊ２に形成されているため、縦目地部Ｊ２に水が浸入してきたとしても、縦排水路１９よりも奥側に水が浸入することを抑制することができる。
【００５０】
また、ブロック材１０の下面１３ｂに形成された第２の溝１７は、下側に隣接するブロック材１０の第１の溝１６に対向している。これにより、横目地部Ｊ１からブロック材１０の下面１３ｂを伝って水が浸入してきたとしても、第２の溝１７よりも奥側に水が浸入することを抑制することができる。
【００５１】
また、２本の第２の溝１７Ａ、１７Ｂの間と、２本の第２の溝１７Ｃ、１７Ｄの間とには、縦排水路１８，１９の下部開口１８ｂ，１９ｂが位置している。これにより、下部開口１８ｂ，１９ｂから排出された水がブロック材１０の下面１３ｂを伝って幅方向に広がろうとしても、第２の溝１７によって下面１３ｂが途切れるため、水の広がりを抑制することができる。
【００５２】
また、側面１２ａを外壁面とし側面１２ｂを内壁面とした場合、第２の溝１７Ｂ，１７Ｄは、縦排水路１８，１９の下部開口１８ｂ，１９ｂと内壁面との間に形成されていることになる。そのため、縦排水路１８，１９を流下して下部開口１８ｂ，１９ｂから排出された水が下面１３ｂを伝って内壁面側に浸入してくることを、この第２の溝１７Ｂ，１７Ｄによって抑制することができる。
【００５３】
以上、本発明の実施形態について説明したが、本発明は上記実施形態に限られるものではない。例えば、第１の溝が側面に対して平行となるように直線状に形成されている例を示したが、これに限定されない。第１の溝は、所定のカーブを描くように形成されていてもよいし、幅方向に蛇行して形成されてもよい。また、直線状に形成されるとしても、幅方向一方側に所定の傾斜をもって形成されてもよい。なお、上記実施形態のように形成することで、左右に隣り合うブロック材における第１の溝同士を連通させやすく、また、上下方向に連設した際に縦排水路の下部開口を第１の溝に対向させやすくなる。第１の溝の断面形状は、円弧状であってもよい。この場合、側部１６ａ，１６ａと底部１６ｂとは、滑らかに連続する。第１の溝の断面形状は、三角形状であってもよい。この場合、側部１６ａ，１６ａ同士が下端で連結され、底部１６ｂに相当する部分は形成されない。第１の溝は、溝状であればどのような形状であってもよい。
【００５４】
また、第１の溝が一方の端面から他方の端面まで長さ方向に連続して一本で形成されている例を示したが、これに限定されない。例えば、第１の溝が長さ方向に沿って形成されているのであれば、長さ方向の途中で途切れて２本の溝によって形成されていてもよい。この場合、２本の溝のいずれもが縦排水路に連通している構成としてもよい。
【００５５】
また、ブロック材に設けられた鉄筋挿入孔が長さ寸法の１／３の間隔となるように設けられていことから、上下方向に積み上げられるブロック材を１／３だけずらして積み重ねる例を示したが、これに限定されない。例えば、上下方向に積み上げられるブロック材を左右にずらすことなく積み重ねてもよいし、鉄筋挿入孔の間隔を変更させてずらす量を変更してもよい。
【００５６】
また、寸法が同一のブロック材のみによって壁体が構成される例を示したが、これに限定されない。例えば、幅寸法及び高さ寸法が同一で長さ寸法の異なる複数種類のブロック材を組み合わせて壁体を構成するようにしてもよく、そのように構成することで窓となる開口等を設計しやすくなる。
【符号の説明】
【００５７】
１…組積造建物、２…布基礎、２ａ…上面、４…壁体、１０…ブロック材、１１…端面、１２（１２ａ，１２ｂ）…側面、１３ａ…上面、１３ｂ…下面、１６（１６Ａ，１６Ｂ）…第１の溝、１８，１９…縦排水路、１７（１７Ａ，１７Ｂ，１７Ｃ，１７Ｄ）…第２の溝、２０…止水構造。
【図１】
2015040450.tif 000003
【図２】
2015040450.tif 000004
【図３】
2015040450.tif 000005
【図４】
2015040450.tif 000006
【図５】
2015040450.tif 000007
【図６】
2015040450.tif 000008
【図７】
2015040450.tif 000009